(57)【要約】  押圧ユニット（５）は、収容ケース（２）内部の収容通路（Ｒ１）に収容された複数の電極（１０）を電極取出口（２０）側に押圧する。レバー部材（３）は、一方側に揺動すると先端側が電極取出口（２０）の一部を遮る第１姿勢（Ｘ１）になり、他方側に揺動すると先端側が電極取出口（２０）を開放する第２姿勢（Ｘ２）になる。第１コイルバネ（４）は、レバー部材（３）の基端側と収容ケース（２）の第１側面部（２１）との間に配設され、レバー部材（３）の基端側を収容ケース２から離れるように付勢する。
2018211555.tif 000002
【特許請求の範囲】
【請求項１】
スポット溶接用の電極を複数格納可能なスポット溶接用電極格納装置であって、
上記電極をその中心軸と直交する方向に直線状に、且つ、溶接ガンのシャンク先端に嵌合する嵌合凹部が同一方向に開口するように複数並設した状態で収容可能な直線状の収容通路を内部に有し、当該収容通路に連通する電極取出口が一端に形成された収容ケースと、
上記収容通路に収容された状態の１つ又は並設状態の複数の電極を上記収容通路の一端側に押圧する押圧手段と、
上記収容通路に収容状態の上記電極の中心軸と同一方向に延びる揺動軸周りに揺動可能に上記収容ケースに支持され、一方側に揺動して先端側が上記電極取出口の一部を遮る第１姿勢と、他方側に揺動して先端側が上記電極取出口を開放する第２姿勢とに姿勢変更可能なレバー部材と、
該レバー部材の基端側と上記収容ケースの一方の側面との間に配設され、上記レバー部材が一方側に揺動するように上記レバー部材の基端側を上記収容ケースから離れるように付勢する付勢手段とを備えていることを特徴とするスポット溶接用電極格納装置。
【請求項２】
請求項１に記載のスポット溶接用電極格納装置において、
上記収容ケースには、上記レバー部材を上記第１及び第２姿勢の間の姿勢において一方側に揺動しないよう規制する規制ピンを挿通可能なピン挿通孔が形成されていることを特徴とするスポット溶接用電極格納装置。
【請求項３】
請求項１又は２に記載のスポット溶接用電極格納装置において、
上記収容ケースの一端側の側面には、上記揺動軸に沿う方向に対向するとともに上記収容ケースに沿って延びる一対の突出板部が形成され、
上記レバー部材は、上記両突出板部の間に位置していることを特徴とするスポット溶接用電極格納装置。
【請求項４】
請求項１から３のいずれか１つに記載のスポット溶接用電極格納装置において、
上記収容ケースを被取付体に取り付けるブラケットを備え、
該ブラケットは、上記収容ケースを取付可能な取付凹部を有し、
該取付凹部には、上記収容ケースを取り付ける際、当該収容ケースを案内する案内面が設けられ、
該案内面及び上記収容ケースの一方には、上記収容ケースの上記取付凹部への取付方向に沿って延びる案内溝が設けられ、
該案内面及び上記収容ケースの他方には、上記案内溝に嵌合可能な突条部が形成されていることを特徴とするスポット溶接用電極格納装置。
【発明の詳細な説明】
【技術分野】
【０００１】
本発明は、例えば、自動車生産ラインにおいて使用するスポット溶接用の電極を溶接ガンのシャンクに装着可能な状態で格納しておくスポット溶接用電極格納装置に関する。
【背景技術】
【０００２】
従来より、自動車生産ラインでは、複数のプレス成形品をスポット溶接で繋ぐことで車体フレームが組み立てられ、このスポット溶接は、一般的に、産業用ロボットのアーム先端に取り付けられた溶接ガンで行われる。【０００３】
ところで、溶接ガンのシャンクには、当該シャンクの先端が電極の嵌合凹部に嵌合することによって電極が装着される。そして、電極は、スポット溶接を繰り返し行うことで消耗するので、定期的に交換する必要がある。したがって、電極交換時において電極を効率よく溶接ガンのシャンクに装着するために、自動車生産ラインには、スポット溶接用の電極格納装置が設置されている。【０００４】
例えば、特許文献１に開示されている電極格納装置は、収容通路を内部に有する角筒状の収容ケースを備え、収容通路には、電極をその中心軸と直交する方向に直線状に、且つ、嵌合凹部が同一方向に開口するように複数並設した状態で収容可能となっている。収容ケースの一端には、収容通路に連通する電極取出口が形成される一方、収容ケースの他端側内部には、収容通路に収容された１つ又は並設状態の複数の電極を収容通路の一端側にバネ力によって押圧する押圧ユニットが設けられている。収容ケースの一端側には、当該収容ケースの長手方向と直交する方向に移動可能な取出規制部材が配設されている。該取出規制部材は、コイルバネの付勢力によって一方側に移動した状態で電極取出口の一部を遮って電極の電極取出口からの取り出しを規制する一方、コイルバネの付勢力に抗して他方側に移動した状態で電極取出口を開放して電極の電極取出口からの取り出しを可能にするようになっている。そして、収容通路に並設された各電極のうちの取出規制部材に接する電極の嵌合凹部にシャンク先端を嵌合するとともにその電極を収容通路の一端側に移動させると、取出規制部材がコイルバネの付勢力に抗して他方側に移動することによって開放する電極取出口から電極が取り出され、その後、取り出された電極に隣り合う電極が押圧ユニットのバネ力によって収容通路の一端側に移動するとともに、コイルバネの付勢力によって一方側に移動した取出規制部材に接触して電極取出口からの取り出しが規制されるようになっている。
【先行技術文献】
【特許文献】
【０００５】
【特許文献１】特表２０１３−５１４１８２号公報
【発明の概要】
【発明が解決しようとする課題】
【０００６】
ところで、特許文献１では、可動部分であるコイルバネを含む付勢機構が収容ケースの外面から外側方に飛び出すように取り付けられているので、他の機器や工具が不意に付勢機構に接触して取出規制部材が動かなくなってしまい、装置から電極を取り出せなくなってしまうというおそれがある。【０００７】
また、特許文献１の電極格納装置は、コイルバネが収容ケースの側方の位置において剥き出しの状態になっているので、見栄えが悪いという問題もある。【０００８】
本発明は、斯かる点に鑑みてなされたものであり、その目的とするところは、故障し難くて、しかも、高い意匠性を有するスポット溶接用電極格納装置を提供することにある。
【課題を解決するための手段】
【０００９】
上記の目的を達成するために、本発明は、取出規制部材を揺動するレバー形状にするとともに、取出規制部材を付勢する付勢手段の配置に工夫を凝らしたことを特徴とする。【００１０】
具体的には、スポット溶接用の電極を複数格納可能なスポット溶接用電極格納装置を対象とし、次のような解決手段を講じた。【００１１】
すなわち、第１の発明では、上記電極をその中心軸と直交する方向に直線状に、且つ、溶接ガンのシャンク先端に嵌合する嵌合凹部が同一方向に開口するように複数並設した状態で収容可能な直線状の収容通路を内部に有し、当該収容通路に連通する電極取出口が一端に形成された収容ケースと、上記収容通路に収容された状態の１つ又は並設状態の複数の電極を上記収容通路の一端側に押圧する押圧手段と、上記収容通路に収容状態の上記電極の中心軸と同一方向に延びる揺動軸周りに揺動可能に上記収容ケースに支持され、一方側に揺動して先端側が上記電極取出口の一部を遮る第１姿勢と、他方側に揺動して先端側が上記電極取出口を開放する第２姿勢とに姿勢変更可能なレバー部材と、該レバー部材の基端側と上記収容ケースの一方の側面との間に配設され、上記レバー部材が一方側に揺動するように上記レバー部材の基端側を上記収容ケースから離れるように付勢する付勢手段とを備えていることを特徴とする。【００１２】
第２の発明では、第１の発明において、上記収容ケースには、上記レバー部材を上記第１及び第２姿勢の間の姿勢において一方側に揺動しないよう規制する規制ピンを挿通可能なピン挿通孔が形成されていることを特徴とする。【００１３】
第３の発明では、第１又は第２の発明において、上記収容ケースの一端側の側面には、上記揺動軸に沿う方向に対向するとともに上記収容ケースに沿って延びる一対の突出板部が形成され、上記レバー部材は、上記両突出板部の間に位置していることを特徴とする。【００１４】
第４の発明では、第１から第３のいずれか１つの発明において、上記収容ケースを被取付体に取り付けるブラケットを備え、該ブラケットは、上記収容ケースを取付可能な取付凹部を有し、該取付凹部には、上記収容ケースを取り付ける際、当該収容ケースを案内する案内面が設けられ、該案内面及び上記収容ケースの一方には、上記収容ケースの上記取付凹部への取付方向に沿って延びる案内溝が設けられ、該案内面及び上記収容ケースの他方には、上記案内溝に嵌合可能な突条部が形成されていることを特徴とする。
【発明の効果】
【００１５】
第１の発明では、コイルバネがレバー部材の収容ケース側に位置しているので、もし仮に他の機器や工具が装置に接触するとしても、可動部分であるコイルバネに接触する前にレバー部材に接触するようになり、他の機器や工具がコイルバネに直接接触することでレバー部材が動かなくなってしまうといったことを防ぐことができる。また、コイルバネがレバー部材の外面側に位置しないので、装置全体の見栄えが良くなり、意匠性の高い装置にすることができる。【００１６】
第２の発明では、レバー部材を第１姿勢にした時の電極取出口の開口面積よりも電極取出口の開口面積を広くした状態で維持できるようになる。したがって、使用前の電極を収容ケースの収容通路に作業者が電極取出口から手作業で収容する際、作業者の指にかかる負荷が減るので、電極の収容作業を容易に行うことができる。【００１７】
第３の発明では、レバー部材が両突出板部に挟まれた位置となるので、もし仮に他の機器や工具が装置に接触するとしても、レバー部材に接触する前に両突出板部に接触するようになる。したがって、他の機器や工具が不意にレバー部材に接触して当該レバー部材が他方側に揺動してしまい、収容通路に位置する使用前の電極が押圧手段の押圧力によって電極取出口から飛び出してしまうといったことを確実に防ぐことができる。また、コイルバネが両突出板部に囲まれるようになるので、コイルバネに対するゴミ等の付着による故障の発生を減らすことができる。【００１８】
第４の発明では、突条部を案内溝に対応させるとともに、収容ケースを突条部に沿って移動させると、突条部が案内溝に嵌合するとともに収容ケースがブラケットの取付凹部に取り付けられる。したがって、ブラケットに対する収容ケースの取付作業が簡単であるとともに、ブラケットに対する収容ケースの位置を正確に決めることができる。
【図面の簡単な説明】
【００１９】
【図１】本発明の実施形態に係るスポット溶接用電極格納装置の斜視図である。
【図２】図１のII矢視図である。
【図３】図１のIII−III線における断面図である。
【図４】図２のIV−IV線における断面図である。
【図５】図４のV−V線における断面図である。
【図６】レバー部材を第１姿勢と第２姿勢との間の姿勢にした状態の図４相当図である。
【図７】図６のVII−VII線における断面図である。
【発明を実施するための形態】
【００２０】
以下、本発明の実施形態を図面に基づいて詳細に説明する。尚、以下の好ましい実施形態の説明は、本質的に例示に過ぎない。
【００２１】
図１及び図２は、本発明の実施形態に係るスポット溶接用電極格納装置１を示す。この電極格納装置１は、自動車生産ラインにおける車体組立通路の側方に配置され、スポット溶接用の電極１０を溶接ロボットが把持する溶接ガンのシャンク１１（図５参照）に装着可能な姿勢で複数格納しておくものである。
【００２２】
電極格納装置１は、水平方向に直線状に延びる略角筒状の収容ケース２を備え、該収容ケース２は、当該収容ケース２の長手方向と直交する水平方向に互いに対向する第１側面部２１及び第２側面部２２と、該第１側面部２１及び第２側面部２２の各上端縁部を繋ぐ表面部２３と、上記第１側面部２１及び第２側面部２２の各下端縁部を繋ぐ裏面部２４とを有している。
【００２３】
第１側面部２１、第２側面部２２、表面部２３及び裏面部２４で囲まれる部分は、図５に示すように、電極１０を複数収容可能な直線状の収容通路Ｒ１になっていて、図１に示すように、該収容通路Ｒ１の一端に電極取出口２０が設けられている。
【００２４】
該収容通路Ｒ１の底面は、当該収容通路Ｒ１の延長方向に延びる帯状の平坦底面２ａと、該平坦底面２ａの両縁部から上方に行くにつれて次第に離間する一対の傾斜面２ｂとからなり、該両傾斜面２ｂは、電極１０先端側のテーパ面１０ａに対応する角度になっている。
【００２５】
そして、収容通路Ｒ１は、電極１０をその中心軸Ｃ１と直交する方向に直線状に、且つ、シャンク１１先端に嵌合する嵌合凹部１０ｂが同一方向に開口するように複数並設した状態で収容可能になっている。
【００２６】
第１側面部２１の一端側上端縁部及び下端縁部寄りには、第１側面部２１の長手方向に沿って延び、且つ、上下に対向する一対の突出板部２１ａが第２側面部２２から離れる方向に突設され、各突出板部２１ａは、第１側面部２１の一端に近づくにつれて水平方向の幅が次第に狭くなる形状をなしている。
【００２７】
第１側面部２１の両突出板部２１ａ間には、図４に示すように、収容通路Ｒ１に連通する長方形状の開口部２１ｂが形成され、第１側面部２１の開口部２１ｂに対応する部分の下部中央には、図６及び図７に示すように、細棒状の規制ピンＰ１を挿通可能なピン挿通孔２１ｄが上下に貫通形成されている。
【００２８】
また、第１側面部２１の一端寄りの位置には、図４に示すように、第２側面部２２の反対側に開口する底の浅い第１収容凹部２１ｃが形成されている。
【００２９】
第２側面部２２の上下方向中途部には、図４及び図５に示すように、当該第２側面部２２の長手方向に沿って直線状に延びるスリット２２ａが形成され、該スリット２２ａは、収容通路Ｒ１に連通している。
【００３０】
表面部２３の長手方向一端側には、図１に示すように、当該表面部２３の長手方向一端に開放するように切り欠かれて上記電極取出口２０に連続するシャンク出入口２３ａが形成されている。
【００３１】
また、表面部２３の長手方向一端寄りの表面には、図２に示すように、位置決め凹部２３ｂが形成されている。
【００３２】
裏面部２４下面の長手方向一端側には、当該裏面部２４の長手方向と直交する水平方向に延びる第１案内溝２４ａ及び第２案内溝２４ｂが裏面部２４の長手方向に所定の間隔をあけて形成され、第１案内溝２４ａは、第２案内溝２４ｂよりも溝幅が狭くなっている。
【００３３】
両突出板部２１ａ間には、図４及び図５に示すように、収容ケース２の一端側に向かって延びるレバー部材３が配設されている。
【００３４】
該レバー部材３の先端側の収容通路Ｒ１側には、電極１０の外周面に対応する湾曲面部３ａが形成される一方、レバー部材３の基端側の第１収容凹部２１ｃに対向する位置には、第２収容凹部３ｂが形成されている。
【００３５】
レバー部材３の中途部は、収容通路Ｒ１に収容状態の電極１０の中心軸Ｃ１と同一方向に延びる揺動軸３０によって支持され、レバー部材３は、揺動軸３０周りに揺動可能になっている。
【００３６】
レバー部材３の基端側と第１側面部２１との間には、第１コイルバネ４が配設されている。
【００３７】
第１コイルバネ４の一端側は、第１収容凹部２１ｃに収容される一方、第１コイルバネ４の他端側は、第２収容凹部３ｂに収容されていて、第１コイルバネ４は、レバー部材３が一方側に揺動するようにレバー部材３の基端側を収容ケース２から離れるように付勢している。
【００３８】
レバー部材３は、第１コイルバネ４の付勢力によって一方側に揺動すると、図４及び図５に示すように、先端側が開口部２１ｂを介して収容通路Ｒ１へと進入して電極取出口２０の一部を遮る第１姿勢Ｘ１になるとともに湾曲面部３ａが電極１０を第２側面部２２の内面に押し付ける一方、第１コイルバネ４の付勢力に抗して他方側に揺動すると、図６及び図７に示すように、先端側が収容通路Ｒ１から離間して電極取出口２０を開放する第２姿勢Ｘ２になるとともに湾曲面部３ａが電極１０から離れるようになっている。
【００３９】
つまり、レバー部材３は、電極１０の電極取出口２０からの取り出しを規制する第１姿勢Ｘ１と電極１０の電極取出口２０からの取り出しを可能にする第２姿勢Ｘ２とに姿勢変更可能になっている。
【００４０】
また、レバー部材３を一方側に揺動させると、図４及び図５に示すように、レバー部材３の先端側がピン挿通孔２１ｄの開口の一部を覆う一方、レバー部材３を他方側に揺動させると、図６及び図７に示すように、レバー部材３の先端側がピン挿通孔２１ｄの開口を覆わない位置となるようになっている。
【００４１】
そして、レバー部材３を第１コイルバネ４の付勢力に抗して他方側に揺動させ、且つ、ピン挿通孔２１ｄに規制ピンＰ１を下方から挿通させると、図６及び図７に示すように、規制ピンＰ１がレバー部材３を第１姿勢Ｘ１と第２姿勢Ｘ２との間の姿勢において一方側に揺動しないように規制するようになっている。
【００４２】
収容ケース２の長手方向他端側には、図３及び図４に示すように、押圧ユニット５（押圧手段）が設けられている。
【００４３】
該押圧ユニット５は、収容通路Ｒ１に配置されたブロック形状の押圧部材５１を備え、該押圧部材５１は、収容通路Ｒ１に沿って進退可能になっている。
【００４４】
また、押圧ユニット５は、有底円筒状の筒カバー５２を備え、該筒カバー５２の開口周縁が上記収容ケース２の長手方向他端に固定されている。
【００４５】
筒カバー５２の内部には、収容ケース２側に開口する中空部５２ａが形成され、該中空部５２ａには、テレスコピック機構からなる伸縮ロッド５３が配設されている。
【００４６】
該伸縮ロッド５３の先端は、上記押圧部材５１の後端面中央部分に固定され、当該押圧部材５１が進退すると、伸縮ロッド５３は、収容通路Ｒ１に沿って伸縮するようになっている。
【００４７】
また、筒カバー５２の中空部５２ａには、第２コイルバネ５４が配設され、該第２コイルバネ５４は、伸縮ロッド５３に巻装された状態となっている。
【００４８】
第２コイルバネ５４は、一端が押圧部材５１の後端に当接する一方、他端が筒カバー５２の底面に当接していて、上記押圧部材５１を前進方向に付勢している。
【００４９】
すなわち、押圧ユニット５は、収容通路Ｒ１に収容された状態の１つ又は複数の電極１０を上記収容通路Ｒ１の一端側に押圧するようになっている。
【００５０】
上記収容ケース２は、図１に示すように、断面Ｕ字状のブラケット６を介してチップドレッサー７（被取付体）の一側面に取り付けられている。
【００５１】
ブラケット６は、チップドレッサー７に固定される固定板部６１と、チップドレッサー７から離れるように固定板部６１の上縁部及び下縁部から互いに平行に延びる上板部６２及び下板部６３とを備えている。
【００５２】
固定板部６１、上板部６２及び下板部６３で囲まれる部分が本発明の取付凹部６ａを構成しており、当該取付凹部６ａに上記収容ケース２が取付可能となっている。
【００５３】
上記上板部６２における長手方向一端寄りの位置には、インデックスプランジャ８が取り付けられている。
【００５４】
また、上記下板部６３の上記上板部６２に対向する面は、本発明の案内面６４を構成している。
【００５５】
該案内面６４には、図２に示すように、第１案内溝２４ａ及び第２案内溝２４ｂにそれぞれ嵌合可能な第１突条部６４ａ及び第２突条部６４ｂが形成され、第１突条部６４ａは、第２突条部６４ｂよりも幅が狭い形状をなしている。
【００５６】
上記インデックスプランジャ８を引き上げた状態で、第１案内溝２４ａ及び第２案内溝２４ｂを第１突条部６４ａ及び第２突条部６４ｂにそれぞれ対応させるとともに、収容ケース２を案内面６４に沿って移動させると、第１案内溝２４ａ及び第２案内溝２４ｂに第１突条部６４ａ及び第２突条部６４ｂがそれぞれ嵌合して取付凹部６ａに収容ケース２が取り付くようになっている。
【００５７】
また、取付凹部６ａに収容ケース２が取り付くと、表面部２３の位置決め凹部２３ｂがインデックスプランジャ８に対応するようになっていて、当該インデックスプランジャ８のピン８ａを位置決め凹部２３ｂに嵌め込むことにより、収容ケース２が取付凹部６ａに固定されるようになっている。したがって、ブラケット６に対する収容ケース２の取付作業が簡単であるとともに、ブラケット６に対する収容ケース２の位置を正確に決めることができる。
【００５８】
尚、第１案内溝２４ａ及び第２案内溝２４ｂの幅寸法、及び、第１突条部６４ａ及び第２突条部６４ｂの幅寸法をそれぞれ異なったものに設定しているので、取付凹部６ａに対する収容ケース２の取付方向の間違いを無くすことができる。
【００５９】
次に、電極格納装置１からの電極１０の取出作業について詳述する。
【００６０】
まず、溶接ロボットが把持する溶接ガンを移動させて、当該溶接ガンのシャンク１１の先端をシャンク出入口２３ａに対応させる。
【００６１】
次に、溶接ガンのシャンク１１をシャンク出入口２３ａに向かって移動させる。すると、図５に示すように、レバー部材３に接触する電極１０の嵌合凹部１０ｂにシャンク１１の先端が嵌合する。
【００６２】
しかる後、シャンク１１の先端に装着された電極１０が収容通路Ｒ１の一端側に移動するように溶接ガンを移動させる。すると、レバー部材３が第１コイルバネ４の付勢力に抗して他方側に揺動して電極取出口２０が開放し、電極１０が電極取出口２０から取り出される。
【００６３】
シャンク１１に装着された電極１０が電極取出口２０を通過すると、収容通路Ｒ１に並設されたその他の複数の電極１０が押圧ユニット５のバネ力によって収容通路Ｒ１の一端側に移動する。
【００６４】
そして、レバー部材３が第１コイルバネ４の付勢力によって一方側に揺動して湾曲面部３ａが取り出された電極１０の次の電極１０を第２側面部２２の内面に押し付けるとともにレバー部材３の先端部分が電極取出口２０の一部を遮って次の電極１０の取り出しが可能な状態になる。
【００６５】
次に、収容ケース２の収容通路Ｒ１への電極１０の収容作業について詳述する。
【００６６】
収容ケース２の収容通路Ｒ１に収容されている電極１０の数が少なくなると、作業者は、レバー部材３を第１コイルバネ４の付勢力に抗して他方側に揺動させるとともに、図６及び図７に示すように、規制ピンＰ１をピン挿通孔２１ｄに下方から挿通させる。すると、規制ピンＰ１がレバー部材３を第１姿勢Ｘ１と第２姿勢Ｘ２との間の姿勢において一方側に揺動しないように規制する。
【００６７】
しかる後、作業者は、使用前の電極１０を電極取出口２０から押圧ユニット５のバネ力に抗して収容通路Ｒ１内に向けて押し込む。すると、レバー部材３の先端部分が押し込む電極１０の外周面に摺接しながらレバー部材３が第１コイルバネ４の付勢力に抗して他方側に揺動して電極取出口２０が開放し、電極１０が収容通路Ｒ１内に入り込む。
【００６８】
電極１０が収容通路Ｒ１内に入り込むと、レバー部材３の先端部分が電極１０の外周面を乗り越えるとともにレバー部材３が第１コイルバネ４の付勢力によって一方側に揺動して湾曲面部３ａが使用前の電極１０を第２側面部２２の内面に押し付ける。
【００６９】
このように、電極１０の押込作業を繰り返し行って収容通路Ｒ１内に複数の電極１０を収容する。
【００７０】
以上より、本発明の実施形態によると、第１コイルバネ４がレバー部材３の収容ケース２側に位置しているので、もし仮に他の機器や工具が電極格納装置１に接触したとしても、可動部分である第１コイルバネ４に接触する前にレバー部材３に接触するようになり、他の機器や工具が第１コイルバネ４に直接接触することでレバー部材３が動かなくなってしまうといったことを防ぐことができる。
【００７１】
また、第１コイルバネ４がレバー部材３の外面側に位置しないので、電極格納装置１全体の見栄えが良くなり、意匠性の高い電極格納装置１にすることができる。
【００７２】
また、ピン挿通孔２１ｄに規制ピンＰ１を挿通させると、レバー部材３を第１姿勢Ｘ１にした時の電極取出口２０の開口面積よりも電極取出口２０の開口面積を広くした状態で維持できるようになる。したがって、使用前の電極１０を収容ケース２の収容通路Ｒ１に作業者が電極取出口２０から手作業で収容する際、作業者の指にかかる負荷が減るので、電極１０の収容作業を容易に行うことができる。
【００７３】
また、レバー部材３が両突出板部２１ａに挟まれた位置となるので、もし仮に他の機器や工具が電極格納装置１に接触するとしても、レバー部材３に接触する前に両突出板部２１ａに接触するようになる。したがって、他の機器や工具が不意にレバー部材３に接触して当該レバー部材３が他方側に揺動してしまい、収容通路Ｒ１に位置する使用前の電極１０が押圧ユニット５のバネ力によって電極取出口２０から飛び出してしまうといったことを確実に防ぐことができる。
【００７４】
また、第１コイルバネ４が両突出板部２１ａに囲まれるようになるので、第１コイルバネ４に対するゴミ等の付着による故障の発生を減らすことができる。
【００７５】
また、ブラケット６の第１突条部６４ａ及び第２突条部６４ｂを収容ケース２の第１案内溝２４ａ及び第２案内溝２４ｂに対応させるとともに、収容ケース２を第１突条部６４ａ及び第２突条部６４ｂに沿って移動させると、第１突条部６４ａ及び第２突条部６４ｂが第１案内溝２４ａ及び第２案内溝２４ｂに嵌合するとともに収容ケース２がブラケット６の取付凹部６ａに取り付けられる。したがって、ブラケット６に対する収容ケース２の取付作業が簡単であるとともに、ブラケット６に対する収容ケース２の位置を正確に決めることができる。
【００７６】
尚、本発明の実施形態では、第１案内溝２４ａ及び第２案内溝２４ｂが収容ケース２に、第１案内溝２４ａ及び第２案内溝２４ｂにそれぞれ嵌合する第１突条部６４ａ及び第２突条部６４ｂがブラケット６に形成されているが、これに限らず、例えば、第１案内溝２４ａ及び第２案内溝２４ｂがブラケット６に形成され、第１案内溝２４ａ及び第２案内溝２４ｂにそれぞれ嵌合する第１突条部６４ａ及び第２突条部６４ｂが収容ケース２に形成されていてもよい。
【産業上の利用可能性】
【００７７】
本発明は、例えば、自動車生産ラインにおいて使用するスポット溶接用の電極を溶接ガンのシャンクに装着可能な状態で格納しておくスポット溶接用電極格納装置に適している。
【符号の説明】
【００７８】
１        スポット溶接用電極格納装置
２        収容ケース
３        レバー部材
４        第１コイルバネ（付勢手段）
５        押圧ユニット（押圧手段）
６        ブラケット
６ａ        取付凹部
７        チップドレッサー（被取付体）
１０        電極
１０ｂ        嵌合凹部
１１        シャンク
２０        電極取出口
２１ａ        突出板部
２１ｄ        ピン挿通孔
２４ａ        第１案内溝
２４ｂ        第２案内溝
３０        揺動軸
６４        案内面
６４ａ        第１突条部
６４ｂ        第２突条部
Ｐ１        規制ピン
Ｒ１        収容通路
Ｘ１        第１姿勢
Ｘ２        第２姿勢
【図１】
2018211555.tif 000003
【図２】
2018211555.tif 000004
【図３】
2018211555.tif 000005
【図４】
2018211555.tif 000006
【図５】
2018211555.tif 000007
【図６】
2018211555.tif 000008
【図７】
2018211555.tif 000009
【国際調査報告】
2018211555.tif 000010
2018211555.tif 000011
2018211555.tif 000012
2018211555.tif 000013